(57)【要約】【課題】複数種類のプリンタドライバのうちのいずれか１つのプリンタドライバにおいて生成された印刷データに基づいてプレビューアプリケーションを用いて印刷イメージを表示し、印刷を行う場合において、印刷条件や出力方法などの設定を容易かつ正確に行う。【解決手段】複数種類のプリンタドライバのうちのいずれか１つのプリンタドライバにおいて生成された印刷データを受け付け、上記複数種類のプリンタドライバを表示し、その表示したプリンタドライバのうちのいずれか１つの選択を受け付け、その受け付けたプリンタドライバに応じた設定項目のみを表示し、その表示した設定項目の設定を受け付ける。【選択図】図４
2011175318.tif 000002
【特許請求の範囲】
【請求項１】
印刷データの入力を受け付ける印刷データ受付部と、該印刷データ受付部によって受け付けられた印刷データに基づいてプレビュー画面を表示させる表示制御部とを備えたプレビュー画面表示制御装置において、
前記印刷データ受付部が、複数種類のプリンタドライバのうちのいずれか１つのプリンタドライバにおいて生成された前記印刷データを受け付けるものであり、
前記複数種類のプリンタドライバを表示し、該表示したプリンタドライバのうちのいずれか１つの選択を受け付けるプリンタドライバ選択受付部と、
該プリンタドライバ選択受付部によって受け付けられたプリンタドライバに応じた設定項目のみを表示し、該表示した設定項目の設定を受け付ける設定受付部とを備えたことを特徴とするプレビュー画面表示制御装置。
【請求項２】
前記複数種類のプリンタドライバの情報を取得し、該プリンタドライバ情報に基づいて、前記複数のプリンタドライバのうち適切なプレビュー画面を表示可能なプリンタドライバを判別するプリンタドライバ判別部をさらに備え、
前記プリンタドライバ選択受付部が、前記プリンタドライバ判別部によって適切なプレビュー画面を表示可能と判別されたプリンタドライバのみを表示し、該表示したプリンタドライバのうちのいずれか１つの選択を受け付けるものであることを特徴とする請求項１記載のプレビューアプリ画面表示制御装置。
【請求項３】
印刷データの入力を受け付ける手順と、該受け付けた印刷データに基づいてプレビュー画面を表示させる手順とをコンピュータに実行させるプレビュー画面表示制御プログラムにおいて、
複数種類のプリンタドライバのうちのいずれか１つのプリンタドライバにおいて生成された前記印刷データを受け付ける手順と、
前記複数種類のプリンタドライバを表示し、該表示したプリンタドライバのうちのいずれか１つの選択を受け付ける手順と、
該受け付けたプリンタドライバに応じた設定項目のみを表示し、該表示した設定項目の設定を受け付ける手順とを実行させることを特徴とするプレビュー画面表示制御プログラム。
【請求項４】
前記複数種類のプリンタドライバの情報を取得し、該プリンタドライバ情報に基づいて、前記複数のプリンタドライバのうち適切なプレビュー画面を表示可能なプリンタドライバを判別する手順と、
該判別の手順によって適切なプレビュー画面を表示可能と判別されたプリンタドライバのみを表示し、該表示したプリンタドライバのうちのいずれか１つの選択を受け付ける手順とを実行させることを特徴とする請求項３記載のプレビューアプリ画面表示制御プログラム。
【発明の詳細な説明】
【技術分野】
【０００１】
本発明は、入力された印刷データに基づいてプレビュー画面を表示させるプレビュー画面表示制御装置およびプログラムに関するものである。
【背景技術】
【０００２】
従来のプリンタドライバには、メモ帳やＷｏｒｄ（登録商標）などの編集用アプリケーションによって作成された画像データをプリンタによって認識可能な言語に変換し、その変換したファイルを一旦保存する機能がある。
【０００３】
この機能は、たとえば、同じ画像データの印刷を再び行う予定がある場合や、印刷データを一旦ＵＳＢメモリなどの外部記憶装置に記憶し、その外部記憶装置をプリンタに接続して印刷を行う場合などにおいて用いられる。
【０００４】
そして、プリンタドライバによって一旦保存された印刷データを印刷する際には、その印刷イメージを再度確認したり、印刷データ自体を編集したりしたい場合があり、このような場合のために、一旦保存された印刷データを読み出して印刷イメージをプレビュー画面として表示するプレビューアプリケーションが提案されている（非特許文献１参照）。
【先行技術文献】
【特許文献】
【０００５】
【特許文献１】特開２００５−０１８４１１号公報
【特許文献２】特開平１０−０４００４５号公報
【非特許文献】
【０００６】
【非特許文献１】理想科学工業株式会社ホームページ、＜インターネットhttp://www.riso.co.jp/catalog/paret.html＞
【発明の概要】
【発明が解決しようとする課題】
【０００７】
ここで、上述したようなプレビューアプリケーションによって表示された印刷イメージを確認した後、印刷を行う際には、印刷部数、印刷濃度、印刷速度や出力方法などといった設定項目を指定する必要がある。プリンタドライバからプリンタに印刷データを直接送信して印刷する場合には、プリンタドライバの設定画面においてこれらの項目を設定することができるが、上述したようにプリンタドライバによってファイルとして一旦保存した後に、プレビューアプリケーションを起動して印刷を行う際には、再度設定が必要となる。
【０００８】
しかしながら、コンピュータにインストールされるプリンタドライバは一種類だけでなく、コンピュータから出力する可能性のある複数種類のプリンタドライバがインストールされていることが多い。
【０００９】
そして、このような場合、プレビューアプリケーションにおいてどのプリンタに出力するかについては選択することが可能であったが、その選択したプリンタに対応するプリンタドライバによって受け付けられる設定項目の内容までは不明であったため、たとえば、複数のプリンタドライバによって設定される可能性のある項目を全て表示させ、その中から操作者が必要な項目だけを選択して設定することが考えられる。
【００１０】
しかしながら、このように全ての設定項目を表示するようにしたのでは、操作者が選択する手間がかかるだけでなく、選択されたプリンタドライバには存在しない設定項目を誤って設定してしまうおそれがある。
【００１１】
また、プリンタドライバによって一旦保存された印刷データをプレビューアプリケーションによってプレビューして印刷する場合に限らず、たとえば、プリンタドライバに連動してプレビューアプリケーションが起動され、プレビュー画面を表示して印刷する場合においても、最初にプリンタドライバの設定画面において設定した内容から変更したい場合などもある。
【００１２】
本発明は、上記事情に鑑み、上述したようにプレビューアプリケーションを用いて印刷イメージを表示した後、印刷を行う場合において、印刷条件や出力方法などの設定項目の内容を容易かつ正確に設定することができるプレビュー画面表示制御装置およびプログラムを提供することを目的とするものである。
【課題を解決するための手段】
【００１３】
本発明のプレビュー画面表示制御装置は、印刷データの入力を受け付ける印刷データ受付部と、印刷データ受付部によって受け付けられた印刷データに基づいてプレビュー画面を表示させる表示制御部とを備えたプレビュー画面表示制御装置において、印刷データ受付部が、複数種類のプリンタドライバのうちのいずれか１つのプリンタドライバにおいて生成された印刷データを受け付けるものであり、複数種類のプリンタドライバを表示し、その表示したプリンタドライバのうちのいずれか１つの選択を受け付けるプリンタドライバ選択受付部と、プリンタドライバ選択受付部によって受け付けられたプリンタドライバに応じた設定項目のみを表示し、その表示した設定項目の設定を受け付ける設定受付部とを備えたことを特徴とする。
【００１４】
また、上記本発明のプレビュー画面表示制御装置は、複数種類のプリンタドライバの情報を取得し、そのプリンタドライバ情報に基づいて、複数のプリンタドライバのうち適切なプレビュー画面を表示可能なプリンタドライバを判別するプリンタドライバ判別部をさらに設け、プリンタドライバ選択受付部を、プリンタドライバ判別部によって適切なプレビュー画面を表示可能と判別されたプリンタドライバのみを表示し、その表示したプリンタドライバのうちのいずれか１つの選択を受け付けるものとすることができる。
【００１５】
本発明のプレビュー画面表示制御プログラムは、印刷データの入力を受け付ける手順と、その受け付けた印刷データに基づいてプレビュー画面を表示させる手順とをコンピュータに実行させるプレビュー画面表示制御プログラムにおいて、複数種類のプリンタドライバのうちのいずれか１つのプリンタドライバにおいて生成された印刷データを受け付ける手順と、複数種類のプリンタドライバを表示し、その表示したプリンタドライバのうちのいずれか１つの選択を受け付ける手順と、その受け付けたプリンタドライバに応じた設定項目のみを表示し、その表示した設定項目の設定を受け付ける手順とを実行させることを特徴とする。
【００１６】
また、上記本発明のプレビュー画面表示制御プログラムにおいては、複数種類のプリンタドライバの情報を取得し、そのプリンタドライバ情報に基づいて、複数のプリンタドライバのうち適切なプレビュー画面を表示可能なプリンタドライバを判別する手順と、その判別の手順によって適切なプレビュー画面を表示可能と判別されたプリンタドライバのみを表示し、その表示したプリンタドライバのうちのいずれか１つの選択を受け付ける手順とを実行させるようにすることができる。
【発明の効果】
【００１７】
本発明のプレビュー画面表示制御装置およびプログラムによれば、複数種類のプリンタドライバのうちのいずれか１つのプリンタドライバにおいて生成された印刷データを受け付け、上記複数種類のプリンタドライバを表示し、その表示したプリンタドライバのうちのいずれか１つの選択を受け付け、その受け付けたプリンタドライバに応じた設定項目のみを表示し、その表示した設定項目の設定を受け付けるようにしたので、操作者は選択したプリンタドライバの設定項目のみを設定すれば良いので、容易かつ正確に設定することができる。
【００１８】
また、上記本発明のプレビュー画面表示制御プログラムにおいて、複数種類のプリンタドライバの情報を取得し、そのプリンタドライバ情報に基づいて、複数のプリンタドライバのうち適切なプレビュー画面を表示可能なプリンタドライバを判別し、適切なプレビュー画面を表示可能と判別されたプリンタドライバのみを表示し、その表示したプリンタドライバのうちのいずれか１つの選択を受け付けるようにした場合には、プリンタドライバの選択が容易になるとともに、誤ってプレビュー画面を表示できないプリンタドライバを選択して不適切なプレビュー画面が表示されるのを回避することができる。
【図面の簡単な説明】
【００１９】
【図１】本発明のプレビュー画面表示制御装置の一実施形態を用いたプリンタシステムの概略構成を示すブロック図
【図２】本発明のプレビュー画面表示制御装置の一実施形態におけるプレビューアプリケーションの概略構成を示すブロック図
【図３】本発明のプレビュー画面表示制御装置の一実施形態の作用を説明するためのフローチャート
【図４】本発明のプレビュー画面表示制御装置の一実施形態の作用を説明するためのフローチャート
【図５】プリンタ選択画面の一例を示す図
【図６】プリンタ選択画面の一例を示す図
【図７】設定項目画面の一例を示す図
【図８】設定項目画面の一例を示す図
【発明を実施するための形態】
【００２０】
以下、図面を参照して本発明のプレビュー画面表示制御装置およびプログラムの一実施形態を用いたプリンタシステムについて詳細に説明する。本実施形態のプリンタシステムは、コンピュータに設けられたプレビューアプリケーションに特徴を有するものであるが、まずは、その全体の概略構成について説明する。図１は、本実施形態のプリンタシステムの全体概略構成図である。
【００２１】
本実施形態のプリンタシステムは、図１に示すように、コンピュータ１０と、コンピュータ１０に有線または無線ＬＡＮなどのネットワークを介して接続された複数のプリンタ２０，２２，２４と、予め印刷データが記憶された外部記憶装置３０とを備えている。
【００２２】
コンピュータ１０には、メモ帳やＷｏｒｄ（登録商標）などのような原稿画像を表す画像データを編集することができるアプリケーション１２と、アプリケーション１２から出力された画像データを受け付けるとともに、印刷枚数や部数、面付けなどの所定の印刷条件や出力方法などの設定を受け付け、画像データと印刷条件とに基づいてＰＤＬ(Page Description Language)データなどの印刷データを生成するとともに、その印刷データを設定された出力方法で出力するプリンタドライバ１４と、プリンタドライバ１４において生成された印刷データに基づいて実際に印刷される印刷イメージをプレビュー画面としてモニタ（図示省略）に表示させるプレビューアプリケーション１６とがインストールされている。
【００２３】
プリンタ２０〜２４としては、孔版印刷プリンタやインクジェットプリンタやレーザープリンタなどを用いることができるが、本実施形態においては、印刷条件や出力方法などの設定項目が互いに異なるプリンタが用いられるものとする。
【００２４】
外部記憶装置３０としては、ハードディスク装置やＵＳＢメモリ装置などコンピュータ１０に接続される記憶装置であれば如何なるものでも良い。
【００２５】
次に、コンピュータ１０のプレビューアプリケーション１６について説明する。図２は、プレビューアプリケーション１６の概略構成を示すブロック図である。
【００２６】
本実施形態のプレビューアプリケーション１６は、たとえば、起動メニューや起動アイコンが選択された場合に、プリンタドライバ１３〜１５とは別個に単独で起動するものである。
【００２７】
プレビューアプリケーション１６は、図２に示すように、印刷データ受付部１６ａ、プレビュー画面表示制御部１６ｂ、プリンタドライバ判定部１６ｃ、プリンタドライバ選択受付部１６ｄ、設定受付部１６ｅ、および印刷データ出力部１６ｆを備えている。
【００２８】
印刷データ受付部１６ａは、プリンタドライバ１３〜１５において生成された印刷データを受け付けて、プレビュー画面表示制御部１６ｂおよび印刷データ出力部１６ｆに出力するものである。
【００２９】
プレビュー画面表示制御部１６ｂは、印刷データ受付部１６ａから出力された印刷データに基づいて表示制御信号を生成し、その表示制御信号に基づいてプレビュー画面をモニタに表示させるものである。
【００３０】
プリンタドライバ判定部１６ｃは、コンピュータ１０にインストールされた全てのプリンタドライバ１３〜１５の設定項目の情報を受け付け、その各プリンタドライバの設定項目に基づいて、印刷データを適切にプレビュー画面に表示可能であるか否かを判定するものである。各プリンタドライバにおいて設定される設定項目は、互いに異なるものであり、たとえば、孔版印刷プリンタのプリンタドライバに特有の設定項目としては２色印刷に関する設定項目があり、また、インクジェットプリンタのプリンタドライバに特有の設定項目としはフルカラー印刷に関する設定項目などがある。
【００３１】
そして、印刷データを適切にプレビュー画面に表示できない場合とは、たとえば、プレビューアプリケーション１６が２色印刷の孔版印刷のイメージを表示するものであるような場合、すなわち、２色のみしか表示できない場合、インクジェットプリンタのプリンタドライバの設定項目としてフルカラー印刷の項目がある場合には、適切なフルカラーのプレビュー画面は表示できないことになる。
【００３２】
また、プレビューアプリケーション１６が２つの分版されたイメージを表示するものである場合も、インクジェットプリンタのプリンタドライバには２色分版の項目はないので、適切なプレビュー画面を表示できないことになる。さらに、プレビューアプリケーション１６において設定された面付け方法以外の面付け方法を設定項目として含むプリンタドライバも、その面付け方法が設定された場合には、印刷データを適切にプレビュー画面に表示できないので、印刷データを適切にプレビュー画面に表示不可能なプリンタドライバであると判定される。
【００３３】
プリンタドライバ選択受付部１６ｄは、プリンタドライバ判定部１６ｃにおいて、適切にプレビュー画面を表示可能と判定されたプリンタドライバの情報を受け付け、その受け付けたプリンタドライバの名前のみをプルダウンメニューとして表示し、その表示されたプリンタドライバのうちのいずれか１つのプリンタドライバの選択を受け付けるものである。
【００３４】
設定受付部１６ｅは、プリンタドライバ選択受付部１６ｄにおいて選択されたプリンタドライバの設定項目を読み込み、その設定項目を表示し、各設定項目についての設定内容を受け付けるものである。
【００３５】
印刷データ出力部１６ｆは、印刷データ受付部１６ａによって受け付けられた印刷データと設定受付部１６ｅにおいて設定された内容とに基づいて印刷ジョブデータを生成し、その印刷ジョブデータをプリンタドライバ選択受付部１６ｄにおいて選択されたプリンタドライバに対応するプリンタに出力するものである。
【００３６】
次に、本実施形態のプリンタシステムの作用について説明する。なお、本実施形態のプリンタシステムは、プレビューアプリケーション１６に特徴を有するものであるので、その点を中心に説明する。
【００３７】
まず、プレビューアプリケーション１６の起動用のアイコンなどが選択されて、プレビューアプリケーション１６が単独で起動される。
【００３８】
そして、プレビューアプリケーション１６は、図３のフローチャートに示すように、コンピュータ１０にインストールされた全てのプリンタドライバ１３〜１５の設定項目の情報を取得する（Ｓ１０）。
【００３９】
次に、全てのプリンタドライバ１３〜１５のうちのいずれか１つのプリンタドライバの設定項目の情報を読み込み（Ｓ１２）、そのプリンタドライバから出力された印刷データをプレビュー画面において適切に表示可能かどうかを判定する（Ｓ１４）。なお、プレビュー画面において適切に表示可能かどうかの判定基準については、上述したとおりである。
【００４０】
そして、プリンタドライバから出力された印刷データをプレビュー画面において適切に表示可能であると判定した場合には（Ｓ１４、ＹＥＳ）、そのプリンタドライバの名前をプリンタドライバ選択受付部１６ｄに出力し、プリンタドライバ選択受付部１６ｄは、入力されたプリンタドライバの名前を、後述するプルダウンメニュー内に表示するものとして記憶する（Ｓ１６）。
【００４１】
そして、上記判定を全てのプリンタドライバについて行って、後述するプルダウンメニューとして表示するプリンタドライバの名前が決定され、プリンタドライバ選択受付部１６ｄによって記憶される（Ｓ１２〜Ｓ１８）。
【００４２】
次に、プレビューアプリケーション１６におけるファイルの読み込みメニューが選択され、たとえば、コンピュータ１０内のハードディスクや外部記憶装置３０に予め記憶された印刷データのファイルが選択されて、読み出される。なお、コンピュータ１０内のハードディスクや外部記憶装置３０に記憶されている印刷データは、所定のアプリケーションによって予め編集された画像データを、プリンタドライバによってＰＤＬデータなどに変換したものであり、たとえば、プリンタドライバにおいてファイル出力が選択されることによってハードディスクや外部記憶装置３０に出力されて保存されるものである。
【００４３】
そして、コンピュータ１０内のハードディスクや外部記憶装置３０から読み出された印刷データは、プレビューアプリケーション１６の印刷データ受付部１６ａにより受け付けられ、印刷データ受付部１６ａは、印刷データをプレビュー画面表示制御部１６ｂおよび印刷データ出力部１６ｆに出力する。
【００４４】
そして、プレビュー画面表示制御部１６ｂは、図４のフローチャートに示すように、入力された印刷データに基づいて、実際の印刷イメージをプレビュー画面としてモニタに表示させる（Ｓ２０）。
【００４５】
そして、次に、プレビュー画面表示制御部１６ｂによって表示されたプレビュー画面のメニューにおいて操作者によって最終的な印刷指示が選択されると、プリンタドライバ選択受付部１６ｄは、図５に示すような、プリンタ選択画面を表示する。
【００４６】
図５に示すプリンタ選択画面においては、プリンタを選択するためのプルダウンメニューＰＭが表示されており、図６に示すように、このプルダウンメニューＰＭを用いて印刷データの出力先のプリンタの選択が受け付けられる。なお、このプルダウンメニューＰＭ内に表示されるプリンタドライバの名前は、上述したとおり、プリンタドライバ判定部１６ｃにおいて、プリンタドライバから出力された印刷データがプレビュー画面において適切に表示可能であると判定されたプリンタドライバの名前のみである。
【００４７】
また、図６に示すプルダウンメニューＰＭ内に示されるプリンタドライバのうち「（ＵＳＢメモリ）」と表示されているプリンタドライバは、ＵＳＢメモリが接続されてそのＵＳＢメモリから印刷データを読み出して印刷を行うプリンタに対応するプリンタドライバであり、印刷データをプリンタの直接送信するものではなく、一旦、ＵＳＢメモリに出力するものである。
【００４８】
そして、図６に示すプルダウンメニューＰＭ内に表示されたプリンタドライバのうちの１つが選択され、「ＯＫ」ボタンが押下されると、その選択されたプリンタドライバの設定項目のみが設定受付部１６ｅによって読み込まれ（Ｓ２２）、設定受付部１６ｅはその読み込んだ設定項目のみをモニタに表示させる（Ｓ２４）。
【００４９】
図７に、たとえば、２色印刷の孔版印刷のプリンタドライバ「ＲＩＳＯ １ Ｓｅｒｉｅｓ」が選択されたときの設定項目画面を示す。プリンタドライバ「ＲＩＳＯ １ Ｓｅｒｉｅｓ」は、２色印刷の孔版印刷プリンタのプリンタドライバであって、印刷データを、「ダイレクトプリント」、「プリント＆ホールド」および「ホールド」のいずれか１つの出力方法で出力するものである。「ダイレクトプリント」とは、孔版印刷プリンタが印刷データを受け付けた時点において即座に印刷を行うような印刷データの出力方法であり、「プリント＆ホールド」とは、孔版印刷プリンタが印刷データを受け付けた時点において即座に印刷を行うとともに、同時にその印刷データを保存するような出力方法であり、「ホールド」とは、孔版印刷プリンタが印刷データを受け付けた時点において印刷は行わずに、その印刷データを保存のみするような出力方法である。
【００５０】
そして、「ＲＩＳＯ １ Ｓｅｒｉｅｓ」が選択されたときの設定項目画面における出力方法のプルダウンメニュー内には、「ダイレクトプリント」、「プリント＆ホールド」および「ホールド」の３つの出力方法のみが表示される。
【００５１】
一方、図８に、たとえば、２色印刷の孔版印刷のプリンタドライバ「ＲＩＳＯ １ Ｓｅｒｉｅｓ（ＵＳＢメモリ）」が選択されたときの設定項目画面を示す。プリンタドライバ「ＲＩＳＯ １ Ｓｅｒｉｅｓ（ＵＳＢメモリ）」は、上述したようにＵＳＢメモリが接続されてそのＵＳＢメモリから印刷データを読み出して印刷を行う２色孔版印刷プリンタに対応するプリンタドライバであって、印刷データを、「ＵＳＢメモリへ出力」または「ＵＳＢメモリへ出力（自動製版）」の出力方法で出力するものである。
【００５２】
「ＵＳＢメモリへ出力」と「ＵＳＢメモリへ出力（自動製版）」とでは、ＵＳＢメモリ（外部記憶装置３０）に印刷データを出力して保存する出力方法という意味では同じであるが、「ＵＳＢメモリへ出力」のときに印刷データが保存されるフォルダと、「ＵＳＢメモリへ出力（自動製版）」のときに印刷データが保存されるフォルダとが互いに異なる。
【００５３】
そして、ＵＳＢメモリが接続された孔版印刷プリンタは、「ＵＳＢメモリへ出力」のフォルダから印刷データを読み出した際には、操作者による印刷開始指示を受け付けてから印刷処理を開始するが、「ＵＳＢメモリへ出力（自動製版）」のフォルダから印刷データを読み出した際には、操作者からの指示を受け付けることなく、自動的に印刷処理を開始するものである。
【００５４】
なお、「ＵＳＢメモリへ出力」により出力する場合と、「ＵＳＢメモリへ出力（自動製版）」により出力する場合とで、互いに異なるフラグを印刷データに付加するようにしてもよい。
【００５５】
そして、「ＲＩＳＯ １ Ｓｅｒｉｅｓ（ＵＳＢメモリ）」が選択されたときの設定項目画面における出力方法のプルダウンメニュー内には、「ＵＳＢメモリへ出力」および「ＵＳＢメモリへ出力（自動製版）」の２つの出力方法のみが表示される。
【００５６】
要するに、プリンタ選択画面において選択されたプリンタドライバの設定項目のみが設定項目画面に表示される。なお、本実施形態については、出力方法の項目の表示方法についてのみ説明したが、これに限らず、その他の印刷速度や印刷濃度の設定項目についても同様である。
【００５７】
そして、図７または図８に示すような設定項目画面において設定された内容は、設定項目画面における「ＯＫ」ボタンが押されることによって設定受付部１６ｅによって受け付けられ（Ｓ２６）、その設定内容は印刷データ出力部１６ｆに出力される。
【００５８】
そして、印刷データ出力部１６ｆは、印刷データ受付部１６ａから出力された印刷データと設定受付部１６ｅから出力された設定内容とに基づいて印刷ジョブデータを生成し、その印刷ジョブデータをプリンタ選択画面で選択されたプリンタまたはＵＳＢメモリ（外部記憶装置３０）に出力する。
【００５９】
そして、プリンタ２０〜２４のいずれか１つのプリンタに印刷データが入力され、そのプリンタによって印刷データに基づく印刷処理が行われるか、もしくはＵＳＢメモリに印刷データが入力され、上述した所定のフォルダに保存される。
【００６０】
なお、上記実施形態の説明においては、プレビューアプリケーション１６は単独起動するものとしたが、これに限らず、プリンタドライバに連動して起動するプレビューアプリケションに本発明を適用してもよい。
【００６１】
また、上記実施形態の説明においては、プレビューアプリケーション１６は、プレビュー画面を表示するとともに、プリンタへ印刷データを出力する機能を有するものとしたが、さらに、印刷データの編集を行うものができるものとしても良い。たとえば、色の割り当てを変更できるようにしたり、面付けの仕方を変更できるようにしても良い。この場合、図２の設定受付部１６ｅによって受け付けられた設定内容に基づいて、プレビュー画面表示制御部１６ｂがプレビュー画面を変更して表示させるようにしても良い。
【符号の説明】
【００６２】
１０   コンピュータ
１２   アプリケーション
１３-１５      プリンタドライバ
１６   プレビューアプリケーション
１６ａ 印刷データ受付部
１６ｂ プレビュー画面表示制御部
１６ｃ プリンタドライバ判定部
１６ｄ プリンタドライバ選択受付部
１６ｅ 設定受付部
１６ｆ 印刷データ出力部
２０-２４      プリンタ
３０   外部記憶装置
【図１】
2011175318.tif 000003
【図２】
2011175318.tif 000004
【図３】
2011175318.tif 000005
【図４】
2011175318.tif 000006
【図５】
2011175318.tif 000007
【図６】
2011175318.tif 000008
【図７】
2011175318.tif 000009
【図８】
2011175318.tif 000010